(57)【要約】      （修正有）【課題】屋形テントのフレームに天幕または横幕を張る作業の省力化を図るコブ付きバンドを提供する。【解決手段】屋形テントの天幕２と梁６、並びに横幕５と梁６および柱７との接続具であって、天幕２側または横幕５側に装着され、弾性材料の収縮牽引力によって、両者を引き付けながら接続する一体成型のコブ付き環形状のバンド１２とする。【選択図】図１
0003214979.tif 000002
【実用新案登録請求の範囲】
【請求項１】
屋形テントの天幕と梁、並びに横幕と梁および柱との接続具であって、天幕側または横幕側に装着され、弾性材料の収縮牽引力によって、前述夫々の両者を引き付けながら接続する一体成型のコブ付き環さ形状を特徴とするバンド。
【請求項２】
前述コブ付きバンドを用いた前述天幕または横幕と前述梁または柱の接続を容易にする為の専用道具であって、前述コブ付きバンドのコブ部を手前に引出しつつ、環さ部をコブの付け根部に掛ける形態で、バンドの引伸ばし距離を制限しつつ、接続を容易とすることを特徴とする道具。
【考案の詳細な説明】
【技術分野】
【０００１】  本考案は屋形テントのフレームに天幕または横幕を張る作業の省力化を図る接続構造に関する。
【背景技術】
【０００２】  従来屋形テントに天幕を張るには、金属フレーム中の梁に天幕内周に溶着された布帯を紐かバックル付バンドで締め付けるのが一般的である。【０００３】  また、従来屋形テントに横幕（別名防風幕）を張るには、金属フレーム中の梁及び柱に横幕周辺を紐かバックル付バンドで締め付けるのが一般的である。【０００４】  以下図３により従来の一般的天幕取付け方法を説明する。
図３（ｂ）は天幕の斜視図である。天幕１の４辺内周には布帯２が熱溶着されている。図３（ａ）は天幕内から見た布帯２の正面拡大図であって、約４５ｃｍ間隔でハトメ３が打ってあり、それに結ばれてある紐４を、図２（ｄ）フレーム群中の梁６に縛るのである。他に図３（ａ）３、４の代わりにバックル付き布ベルトを布帯２に縫い付けた物もある。【０００５】  次に図３により従来の一般的横幕の取付け方法を説明する。
図３（ｃ）はテント１辺のコーナー部分の横幕平面図である。周囲を折返し袋縫いした所に前述天幕とほぼ同様にハトメ３、紐４が着設されている。横幕５のフレーム群への取付けに際しては、図３（ｃ）の上辺を図３（ｄ）の梁６に、両側面を柱７に夫々紐４で結ぶのである。横幕５は金属フレームの２辺をＬ字形に、３辺をコの字形に、４辺一周等夫々の形態で図３（ｄ）の周辺に取付ける。因みに横幕５の下辺の紐４は必要に応じ単管等に接続する。
他に図３（ａ）３、４の代わりにバックル付き布ベルトを周囲に縫い付けた物もある。【０００６】  図３（ｄ）は金属フレームの骨組みを表す斜視図であって、６梁、７柱、８（梁を柱頭部へ差込む為の）梁受サヤ、９（梁が柱から抜けない為と躯体強度保持目的の）頬杖、１０屋根合掌材、１１屋根嶺材で構成されている。
【考案の概要】
【考案が解決しようとする課題】
【０００７】  金属フレームは組立てればブロック化して頑丈な一方、幕はフワフワした布製ゆえ風圧に耐えピンと張った綺麗な外観に仕上げるには、多数箇所で接続せねばならない。また、Ｓ字フック様のもので引っ掛けるだけなら簡単だが、それではメーカーにより、又は天幕の洗い縮みにより、幕と梁の間隔に差がある事や、風向きと風圧によって外れる危険性がある為、手間の掛かる前述方法に依存せざるを得なかった。【０００８】市販の大半を占める２間×３間（６坪）テントの場合で天幕約４０ケ所、横幕で平均約２５ケ所と要接続個所は多く、高い手の位置で頭を反らしての作業は辛い上、特に多量に使うイベント用の場合、会場使用日時の制約上突貫設営と成るのが常で、作業者への負荷共々使用者のコスト負担は大きく、その省力化が大きな課題となっている。【０００９】  本考案は、斯様なハードで手間の掛かる作業を大幅に軽減し、簡単で綺麗に張れ、かつ、風圧に耐え得る接続具を提供するする事を目的とするものである。
【課題を解決するための手段】
【００１０】  課題で述べた接続間距離に差異が有っても、弾性体素材でそれをクリアし、簡単で綺麗に張れる接続具、本考案「コブ付バンド」と、その取付けに便利な専用道具の提供で課題を解決できる。【００１１】  既存の引き締め方法では離れた距離を両手で引き付けられるが、本考案の如き引っ掛け式の場合は、片手で幕端を引っ張って梁等と接近させた状態で掛けなければならない。その解決の為、本接続具の形状を考案したのである。
【考案の効果】
【００１２】  引っ張って緩まぬように結ぶ、或いはバックル式の様に接続してから引き締めると言うツーステップ動作を、引き付けながら掛けるワンステップ動作とすることにより作業は非常に早く楽に出来る。【００１３】  既存の天幕、横幕にも簡単に取り付け可能にてユーザーにとっての経済的効果は大きい。
【図面の簡単な説明】
【００１４】
【図１】  本考案のコブ付バンドを、天幕内周布帯に装着した状態（ａ）、横幕のコーナー部分に装着した状態（ｂ）、それらをフレーム梁へ接続した状態（ｃ）、とフレーム柱へ接続した状態（ｄ）を夫々表す外観図。
【図２】  （ａ）本考案のコブ付バンド接続道具の側面図（左）と正面図（右）。（ｂ）左から右へバンド接続時の道具の動作を表す模式図。（ｃ）バンドがフレーム梁へ接続された状態を正面から見た外観図。
【図３】  従来の天幕内周布帯の拡大正面図（ａ）、天幕の外観斜視図（ｂ）、横幕の平面図（ｃ）、フレームの構成斜視図（ｄ）。
【考案を実施するための形態】
【００１５】  以下、本考案バンド１２の実施の形態を図１に基づいて説明する。
【００１６】  図１（ａ）２は天幕内周４辺に熱溶着された布帯で、二つ折りに袋縫いしたもの。図１（ｂ）５は横幕コーナーの部分図で、周辺を同様に二つ折りに袋縫いしてある。（ａ）（ｂ）とも夫々の二つ折り部に適度な間隔で小穴を明け、バンド１２の環さ部を二つ折り状態で表から裏側へ通してぶら下げた状態である。図１（ｃ）はこれを梁６に、（ｄ）は柱７に夫々接続した状態である。環さ部下端を引っ張ってコブ部の付け根に掛ければ、如何なる風向きでも外れない形状になっている。
【００１７】  次にバンド１２をフレームに接続する道具１３の使用形態を図２に基づいて説明する。
【００１８】  図２（ａ）が本考案道具１３で左が側面図、右が正面図であり、二股フォークの如き形状を成す。図２（ｂ）は左−中−右の順に接続時の道具１３の動きを表す。把持部と先端部の境に掛けたバンド１２の環さ下端を、コブの付け根に落し込む際、その付け根は引かれて幕側に陥没気味になるゆえ、道具の先端でコブを手前に引出しながら掛けて図２（ｃ）の如く接続するのである。
【００１９】  かくの如きバンド１２と道具１３の形状によって引っ掛け方式でも一人作業が可能かつ容易となる。すなわち、片手でコブ部近くの幕地を引き寄せながら、他の手で掛けることが出来るのである。
【００２０】  一般に牽引、引締めに使用されているこの種のバンドは天然ゴムで作られている。さらに、帯状か紐状で長いものゆえ、生ゴムを押出し成型後、缶加硫されており、金型内加硫に比べ、加硫があまい。従って耐候性悪く、弾性劣化も早いので、長時間屋外かつテンションの掛かった状態で使用する当該用途には不向きである。
【００２１】  対して考案品は例えばシリコンゴム等、高耐候性，高延伸性，高抗張力の素材を用いた、弾性劣化の少ない条件下での金型成型品であるうえ、接続時無駄に引き伸ばすことなく、最短距離で接続出来るのも永久歪回避上の利点となる。
【符号の説明】
【００２２】  １    天幕
２    天幕内周の布帯
３    ハトメ
４    結束紐
５    横幕
６    フレームの梁
７    フレームの柱
１２    考案のバンド
１３    考案の接続用道具
【図１】
0003214979.tif 000003
【図２】
0003214979.tif 000004
【図３】
0003214979.tif 000005
【手続補正書】
【提出日】平成29年11月24日(2017.11.24)
【手続補正１】
【補正対象書類名】実用新案登録請求の範囲
【補正対象項目名】全文
【補正方法】変更
【補正の内容】
【実用新案登録請求の範囲】
【請求項１】
屋形テントの天幕と梁、並びに横幕と梁および柱との接続具であって、天幕側または横幕側に装着され、弾性材料の収縮牽引力によって、前述夫々の両者を引き付けながら接続する一体成型のコブ付き環形状を特徴とするバンド。
【手続補正２】
【補正対象書類名】明細書
【補正対象項目名】０００４
【補正方法】変更
【補正の内容】
【０００４】  以下図２により従来の一般的天幕取付け方法を説明する。
図２（ｂ）は天幕の斜視図である。天幕１の４辺内周には布帯２が熱溶着されている。
図２（ａ）は天幕内から見た布帯２の正面拡大図であって、約４５ｃｍ間隔でハトメ３が打ってあり、それに結ばれてある紐４を、図２（ｄ）フレーム群中の梁６に縛るのである。
他に図２（ａ）３、４の代わりにバックル付き布ベルトを布帯２に縫い付けた物もある。
【手続補正３】
【補正対象書類名】明細書
【補正対象項目名】０００５
【補正方法】変更
【補正の内容】
【０００５】  次に図２により従来の一般的横幕の取付け方法を説明する。
図２（ｃ）はテント１辺のコーナー部分の横幕平面図である。周囲を折返し袋縫いした所に前述天幕とほぼ同様にハトメ３、紐４が着設されている。横幕５のフレーム群への取付けに際しては、図２（ｃ）の上辺を図２（ｄ）の梁６に、両側面を柱７に夫々紐４で結ぶのである。横幕５は金属フレームの２辺をＬ字形に、３辺をコの字形に、４辺一周等夫々の形態で図２（ｄ）の周辺に取付ける。因みに横幕５の下辺の紐４は必要に応じ単管等に接続する。
他に図２（ａ）３、４の代わりにバックル付き布ベルトを周囲に縫い付けた物もある。
【手続補正４】
【補正対象書類名】明細書
【補正対象項目名】０００６
【補正方法】変更
【補正の内容】
【０００６】  図２（ｄ）は金属フレームの骨組みを表す斜視図であって、６梁、７柱、８（梁を柱頭部へ差込む為の）梁受サヤ、９（梁が柱から抜けない為と躯体強度保持目的の）頬杖、１０屋根合掌材、１１屋根嶺材で構成されている。
【手続補正５】
【補正対象書類名】明細書
【補正対象項目名】００１０
【補正方法】変更
【補正の内容】
【００１０】  課題で述べた接続間距離に差異が有っても、弾性体素材でそれをクリアし、簡単で綺麗に張れる接続具、本考案「コブ付バンド」の提供で課題を解決できる。
【手続補正６】
【補正対象書類名】明細書
【補正対象項目名】００１４
【補正方法】変更
【補正の内容】
【００１４】
【図１】  本考案のコブ付バンドを、天幕内周布帯に装着した状態（ａ）、横幕のコーナー部分に装着した状態（ｂ）、それらをフレーム梁へ接続した状態（ｃ）、とフレーム柱へ接続した状態（ｄ）を夫々表す外観図。
【図２】  従来の天幕内周布帯の拡大正面図（ａ）、天幕の外観斜視図（ｂ）、横幕の平面図（ｃ）、フレームの構成斜視図（ｄ）。
【手続補正７】
【補正対象書類名】明細書
【補正対象項目名】００１６
【補正方法】変更
【補正の内容】
【００１６】  図１（ａ）２は天幕内周４辺に熱溶着された布帯で、二つ折りに袋縫いしたもの。
図１（ｂ）５は横幕コーナーの部分図で、周辺を同様に二つ折りに袋縫いしてある。
（ａ）（ｂ）とも夫々の二つ折り部に適度な間隔で小穴を明け、バンド１２の環形状部を二つ折り状態で表から裏側へ通してぶら下げた状態である。図１（ｃ）はこれを梁６に、（ｄ）は柱７に夫々接続した状態である。環形状部下端を引っ張ってコブ部の付け根に掛ければ、如何なる風向きでも外れない形状になっている。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００２２
【補正方法】変更
【補正の内容】
【００２２】  １  天幕
２  天幕内周の布帯
３  ハトメ
４  結束紐
５  横幕
６  フレームの梁
７  フレームの柱
１２  考案のバンド
【手続補正１１】
【補正対象書類名】図面
【補正対象項目名】全図
【補正方法】変更
【補正の内容】
【図１】
0003214979.tif 000006
【図２】
0003214979.tif 000007